(57)【要約】【課題】使い易さを向上させると共に、あらゆる音声を鮮明に聴き取ることのできる音声拡聴器を提供する。【解決手段】音声拡聴器１によれば、発信機２と受信機３は一対一に対応していると共に、互いに無線通信が可能である。従って、発信機２を音声の発生場所の近くにセットしておけば、受信機３を装着している使用者が離れた位置に居ても、音声を鮮明に聴き取ることができる。また、受信機３と発信機２の中間位置で発生した音声は混ざらないため、音声を鮮明に聴き取ることができる。このように、使用者は近距離で発生した音声を鮮明に聴き取るのみならず、離れた場所で発生した音声も鮮明に聴き取ることができる。【選択図】図１
0003182140.tif 000002
【実用新案登録請求の範囲】
【請求項１】
発信機、及び前記発信機と一対一で対応する受信機を備える音声拡聴器であって、
前記発信機は、
音声を音声信号に変換するマイクロフォンと、
前記マイクロフォンからの前記音声信号を増幅する発信機用増幅部と、
前記発信機用増幅部で増幅された前記音声信号を前記受信機へ無線で発信する発信部と、を備え、
前記受信機は、
前記発信機から発信された前記音声信号を受信する受信部と、
前記受信部で受信した前記音声信号を増幅する受信機用増幅部と、
前記受信機用増幅部で増幅された前記音声信号を音声に変換して出力するイヤフォンと、を備え、
前記発信機の前記マイクロフォン、前記発信機用増幅部及び前記発信部は、一の発信機用収容体内に収容され、
前記受信機の前記受信部及び前記受信機用増幅部は、一の受信機用収容体内に収容され、
前記イヤフォンは、コードを介することなく前記受信機用収容体から外部へ突出することを特徴とする音声拡聴器。
【請求項２】
前記受信機用収容体は、第１の方向に延在する長尺な形状を有し、
前記イヤフォンは、前記受信機用収容体の前記第１の方向における一端側に設けられると共に、前記第１の方向と交差する第２の方向に突出し、
前記イヤフォンは、
前記受信機用収容体から前記第２の方向に突出する軸部と、
前記軸部の先端に設けられ、使用者の耳内に装着される装着部と、を備え、
前記軸部には、前記使用者の耳に掛けられる耳掛け部が回転可能に軸支され、
前記装着部は、前記軸部の軸線に対して傾斜すると共に、前記軸線周りに回転可能である、請求項１に記載の音声拡聴器。
【考案の詳細な説明】
【技術分野】
【０００１】
本考案は、音声拡聴器に関する。
【背景技術】
【０００２】
従来、音声を集音して拡大して使用者の出力するものとして、特許文献１に示すような補聴器が知られている。当該補聴器は、イヤフォンとマイクロフォンが一体となった構成を有している。使用者は、当該補聴器を耳に装着することで、マイクロフォンで集音されて拡大された音声を、イヤフォンを介して聴くことができる。
【先行技術文献】
【特許文献】
【０００３】
【特許文献１】特開２０１１−２２９０４５号公報
【考案の概要】
【考案が解決しようとする課題】
【０００４】
しかしながら、上述の補聴器は、目の前の相手との会話など、近距離で発生した音声は良好に聴き取ることができるが、離れた場所で発生した音声は、他の騒音などが混ざることによって聴き取り難くなるという問題があった。また、上述の補聴器の他、音声を拡大するものとして、コードやストラップなどを備えた機器が知られている。しかしながら、そのようなコードやストラップは体の周りに絡む場合があるため、使用者が煩わしさを覚える場合があった。以上より、使い易さを向上させると共に、あらゆる音声を鮮明に聴き取ることのできる音声拡聴器が求められていた。
【０００５】
本考案は、このような課題を解決するためになされたものであり、使い易さを向上させると共に、あらゆる音声を鮮明に聴き取ることのできる音声拡聴器を提供することを目的とする。
【課題を解決するための手段】
【０００６】
本考案に係る音声拡聴器は、発信機、及び発信機と一対一で対応する受信機を備える音声拡聴器であって、発信機は、音声を音声信号に変換するマイクロフォンと、マイクロフォンからの音声信号を増幅する発信機用増幅部と、発信機用増幅部で増幅された音声信号を受信機へ無線で発信する発信部と、を備え、受信機は、発信機から発信された音声信号を受信する受信部と、受信部で受信した音声信号を増幅する受信機用増幅部と、受信機用増幅部で増幅された音声信号を音声に変換して出力するイヤフォンと、を備え、発信機のマイクロフォン、発信機用増幅部及び発信部は、一の発信機用収容体内に収容され、受信機の受信部及び受信機用増幅部は、一の受信機用収容体内に収容され、イヤフォンは、コードを介することなく受信機用収容体から外部へ突出することを特徴とする。
【０００７】
本考案に係る音声拡聴器によれば、発信機と受信機は一対一に対応していると共に、互いに無線通信が可能である。従って、発信機を音声の発生場所の近くにセットしておけば、受信機を装着している使用者が離れた位置に居ても、音声を鮮明に聴き取ることができる。また、受信機と発信機の中間位置で発生した音声は混ざらないため、音声を鮮明に聴き取ることができる。このように、使用者は近距離で発生した音声を鮮明に聴き取るのみならず、離れた場所で発生した音声も鮮明に聴き取ることができる。また、発信機のマイクロフォン、発信機用増幅部及び発信部は、一の発信機用収容体内に収容されている。すなわち、発信機用収容体からマイクロフォン用のコードが引き出されているわけではなく、各部品が一の発信機用収容体に収容されてコンパクトな構成となっている。また、受信機の受信部及び受信機用増幅部は、一の受信機用収容体内に収容され、イヤフォンは、コードを介することなく受信機用収容体から外部へ突出している。これにより、受信機がコンパクトな構成となっており、耳に装着するだけでよい構成となっている。このように、受信機及び発信機の使用中に、コードなどが体の周りに絡むことが防止され、使い易さが向上する。以上により、使い易さを向上させると共に、あらゆる音声を鮮明に聴き取ることができる。
【０００８】
また、本考案に係る音声拡聴器において、受信機用収容体は、第１の方向に延在する長尺な形状を有し、イヤフォンは、受信機用収容体の第１の方向における一端側に設けられると共に、第１の方向と交差する第２の方向に突出し、イヤフォンは、受信機用収容体から第２の方向に突出する軸部と、軸部の先端に設けられ、使用者の耳内に装着される装着部と、を備え、軸部には、使用者の耳に掛けられる耳掛け部が回転可能に軸支され、装着部は、軸部の軸線に対して傾斜すると共に、軸線周りに回転可能であることが好ましい。このような構成により、イヤフォンの装着部の耳に対する挿入方向を自由に変更することができる。また、耳掛け部を耳に掛ける方向も自由に変更することができる。受信機用収容体は、第１の方向に延在する長尺な形状を有しているが、イヤフォンの挿入方向及び耳掛け部を掛ける方向を変更することができるため、受信機の耳への装着時に、受信機用収容体が延びる向きを、使用者の好みに応じて自由に調整することができる（例えば、受信機用収容体が上方に向いてもよく、前方に向いてもよく、下方に向いてもよい）。
【考案の効果】
【０００９】
本考案によれば、使い易さを向上させると共に、あらゆる音声を鮮明に聴き取ることができる。
【図面の簡単な説明】
【００１０】
【図１】本考案の実施形態に係る音声拡聴器の正面図である。
【図２】図１に示す受信機のイヤフォン周辺の構成を示す斜視図である。
【図３】発信機の内部構成を示すブロック構成図である。
【図４】受信機の内部構成を示すブロック構成図である。
【図５】音声拡聴器の使用態様の一例を示す図である。
【考案を実施するための形態】
【００１１】
以下、添付図面を参照しながら本考案による音声拡聴器の一実施形態について詳細に説明する。なお、図面の説明において同一の要素には同一の符号を付し、重複する説明を省略する。
【００１２】
図１は、本考案の実施形態に係る音声拡聴器１の正面図である。図２は、受信機のイヤフォン２６周辺の構成を示す斜視図である。図３は、発信機２の内部構成を示すブロック構成図である。図４は、受信機３の内部構成を示すブロック構成図である。
【００１３】
図１に示すように、本考案に係る音声拡聴器１は、音声を集音して音声信号を発信する発信機２と、発信機２からの音声信号を受信して音声再生する受信機３と、を備えて構成されている。発信機２と受信機３は、別体となっており、無線での通信が可能である。発信機２と受信機３は、一対一で対応している。すなわち、発信機２で発信された音声信号は、受信機３でのみ受信及び音声再生が可能であり、他の使用者が使用している受信機３にて受信し音声再生することができる。このような発信機２と受信機３との間の一対一の対応は、発信機２と受信機３との間で使用する周波数を調整することによってなされる。すなわち、一のペアに係る発信機２と受信機３の間で使用される周波数を、他のペアに係る発信機２と受信機３の間で使用される周波数と異なるように調整する。
【００１４】
発信機２は、各構成部品が一の発信機用収容体１１、すなわちケースの中に収容されている。発信機用収容体１１は、特に形状は限定されないが、本実施形態では略直方体形状をなしている。すなわち、発信機用収容体１１は、長手方向に対向する一対の端面１１ａ，１１ｂと、短手方向に対向する一対の側面１１ｃ，１１ｄと、厚さ方向に対向する表面１１ｅ及び裏面と、を有している。側面１１ｃには、発信機２の電源のＯＮ／ＯＦＦを切り替えるスイッチ１２が設けられている。表面１１ｅには、保留モードのＯＮ／ＯＦＦを切り替える保留ボタン１３が設けられている。保留モードに設定されているときは、発信機２は、音声信号を受信機３に発信しない。また、表面１１ｅには、発信機２の状態を光で表示するインジケータ１４が設けられている。側面１１ｄには、充電器から充電用の電気を供給される電源部１６のコネクタ差し込み口が設けられている。また、裏面には、発信機２を使用者の衣類に取り付けるためのピンが設けられている。なお、発信機２の発信機用収容体１１からは、コードや紐などは引き出されていない。従って、それらのコードなどが使用者に絡まることが防止される。
【００１５】
受信機３は、各構成部品が一の受信機用収容体２１、すなわちケースの中に収容されている。受信機用収容体２１は、特に形状は限定されないが、一の方向に延在する長尺な形状を有しており、本実施形態では略直方体形状をなしている。すなわち、受信機用収容体２１は、長手方向（第１の方向）に対向する一対の端面２１ａ，２１ｂと、短手方向に対向する一対の側面２１ｃ，２１ｄと、厚さ方向（第２の方向）に対向する表面２１ｅ及び裏面２１ｆと、を有している。なお、端面２１ａ，２１ｂ及び側面２１ｃ，２１ｄは、真っ直ぐな平面ではなく、外側へ向かって凸となるように僅かに湾曲した面である。側面２１ｃには、充電器から充電用の電気を供給される電源部４６のコネクタ差し込み口が設けられている。側面２１ｄには、再生する音声の音量を調整するための音量ボタン２２が設けられている。表面２１ｅには、発信機２の状態を光で表示するインジケータ２４が設けられている。また、表面２１ｅには、受信機３の電源のＯＮ／ＯＦＦを切り替えると共に、保留モードのＯＮ／ＯＦＦを切り替えるボタン２３が設けられている。電源のＯＮ／ＯＦＦと保留モードのＯＮ／ＯＦＦは、ボタン２３を押す長さによって変更される。受信機３の受信機用収容体２１からは、コードや紐などは引き出されていない。従って、それらのコードなどが使用者に絡まることが防止される。
【００１６】
図２に示すように、受信機３のイヤフォン２６は、コードを介することなく受信機用収容体２１から外部へ突出している。具体的には、イヤフォン２６は、受信機用収容体２１の裏面２１ｆのうち、長手方向における端面２１ａ側に設けられると共に、長手方向に直交する方向である厚さ方向に突出ている。イヤフォン２６は、受信機用収容体２１の裏面２１ｆから厚さ方向の外側に突出する軸部２７と、使用者の耳内に装着される装着部２８と、を備えている。軸部２７は、裏面２１ｆから突出する円柱状の円柱部２７Ａと、円柱部２７Ａの先端側で膨らんで、内部にスピーカユニットを収容するスピーカ収容部２７Ｂと、を備えている。
【００１７】
軸部２７の円柱部２７Ａには、使用者の耳に掛けられる耳掛け部２５が回転可能に軸支されている。耳掛け部２５は、人の耳の上部から背後に沿って密着するように湾曲した平面形状をなし、ある程度可撓性のある棒材で構成されている。耳掛け部２５を使用者の耳介に掛け止め、耳孔との対向位置に装着部２８が位置するように、耳掛け部２５と受信機用収容体２１との間で耳介を挟持させる態様で受信機３全体が耳に装着される。耳掛け部２５と軸部２７とは、耳掛け部２５の基端に設けられる連結部２５ａによって連結されている。連結部２５ａは、円柱部２７Ａを把持するように構成されたＣ字状の形状をなしている。連結部２５ａの内周面と円柱部２７Ａの外周面とが接触するように、耳掛け部２５が円柱部２７Ａに取り付けられている。耳掛け部２５は、連結部２５ａの内周面が円柱部２７Ａの外周面に沿って摺動することによって、軸線ＣＬ周りに回転する。また、耳掛け部２５は、円柱部２７Ａから取り外すこともできる。使用者が受信機３を装着する耳を左右で変更する場合、耳掛け部２５を円柱部２７Ａから取り外し、耳掛け部２５の向きを変えて再び取り付けることができる。なお、耳掛け部２５の向きは、図１では左耳用に設定されており、図２では、右耳用に設定されている。
【００１８】
装着部２８は、軸部２７の軸線ＣＬに対して偏心すると共に傾斜しており、軸線ＣＬ周りに回転可能である。具体的には、スピーカ収容部２７Ｂは、二つのケース部に分割されており、基端側の円柱部２７Ａに固定される基端側ケース部２７Ｂａと、先端側の装着部２８が固定されている先端側ケース部２７Ｂｂと、を備えている。基端側ケース部２７Ｂａと先端側ケース部２７Ｂｂとの間の切断面２９は、軸部２７の軸線ＣＬを中心とした円環状に形成される。基端側ケース部２７Ｂａは、円柱部２７Ａに回転不能に固定されており、円柱部２７Ａは、受信機用収容体２１に回転不能に固定されている。従って、基端側ケース部２７Ｂａは、受信機用収容体２１に対して回転不能である。一方、先端側ケース部２７Ｂｂは、基端側ケース部２７Ｂａに対して軸線ＣＬ周りに回転可能に取り付けられている（例えば、切断面２９にスライド可能な嵌合構造を設ける）。装着部２８は、先端側ケース部２７Ｂｂに回転不能に固定されている。従って、装着部２８は、先端側ケース部２７Ｂｂと共に、受信機用収容体２１に対し軸線ＣＬを中心として回転することができ、使用者の耳に対する挿入方向を自由に変更することができる。
【００１９】
図３に示すように、発信機２は、マイクロフォン３１と、発信機用増幅部３２と、スイッチ１２と、電源部１６と、発信部３３と、ランプ３４と、電池３６と、を発信機用収容体１１内に備えている。また、発信機用増幅部３２は、プリアンプ３５と、メインチップ３７と、ＲＦ回路３８と、を備えている。発信部３３とＲＦ回路３８との間にはフィルタ３９が設けられている。なお、電池３６は、充電可能な小型内臓用の電池であり、交換用の使い捨て電池ではない。これによって、電池３６をセットするためのスペースを小さくすることができ、発信機２の小型化を図ることができる。電池３６は、電源部１６のコネクタ差し込み口に充電器のコネクタが差し込まれることによって、充電される。なお、ランプ３４の光は、インジケータ１４で表示される。
【００２０】
マイクロフォン３１は、集音した音声を音声信号に変換して発信機用増幅部３２へ送信する。マイクロフォン３１は、発信機用収容体１１からコードを介して引き出されているのではなく、発信機用収容体１１内に収容されている。発信機用収容体１１の壁面部には、微小な孔が設けられることによって、音声をマイクロフォン３１で集音し易くしてもよい。あるいは、マイクロフォン３１を発信機用収容体１１に収容した状態で、壁面部の一部からマイクロフォン３１を露出させてもよい。
【００２１】
発信機用増幅部３２は、マイクロフォン３１からの音声信号を増幅する。プリアンプ３５は、マイクロフォン３１からの音声信号を増幅してメインチップ３７へ送信する。メインチップ３７は、音声信号に対して所定の処理を実行した後、ＲＦ回路３８へ送信する。ＲＦ回路３８は、メインチップ３７から送信された信号を変調処理し、フィルタ３９を介して発信部３３へ送信する。発信部３３は、小型のアンテナによって構成されており、発信機用増幅部３２で増幅された音声信号を受信機３へ無線で発信する。
【００２２】
図４に示すように、受信機３は、受信部４１と、受信機用増幅部４２と、ボタン２３と、電源部４６と、イヤフォン２６と、ランプ４４と、電池４０と、を受信機用収容体２１内に備えている。また、受信機用増幅部４２は、ＲＦ回路４５と、メインチップ４７と、オーディオアンプ４８と、を備えている。受信部４１とＲＦ回路４５との間にはフィルタ４９が設けられている。なお、電池４０は、充電可能な小型内臓用の電池であり、交換用の使い捨て電池ではない。これによって、電池４０をセットするためのスペースを小さくすることができ、受信機３の小型化を図ることができる。電池４０は、電源部４６のコネクタ差し込み口に充電器のコネクタが差し込まれることによって、充電される。なお、ランプ４４の光は、インジケータ２４で表示される。
【００２３】
受信部４１は、小型のアンテナによって構成されており、発信機２から発信された音声信号を受信する。受信機用増幅部４２は、受信部４１で受信した音声信号を増幅する。ＲＦ回路４５は、受信部４１からフィルタ４９を介して送信された音声信号を復調処理し、メインチップ４７へ送信する。メインチップ４７は、音声信号に対して所定の処理を実行した後、オーディオアンプ４８へ送信する。オーディオアンプ４８は、メインチップ４７からの音声信号を増幅してイヤフォン２６へ送信する。イヤフォン２６は、受信機用増幅部４２で増幅された音声信号を音声に変換して出力する。
【００２４】
次に、本実施形態に係る音声拡聴器１の作用・効果について説明する。
【００２５】
例えば、マイクロフォンとイヤフォンが一体になった構成を有する音声拡聴器の場合、目の前の相手との会話など、近距離で発生した音声は良好に聴き取ることができるが、離れた場所で発生した音声は、他の騒音などが混ざることによって聴き取り難くなるという問題がある。一方、近年の高齢化社会においては、高齢者が大学で学びたい、海外旅行でガイド案内を受けたい、セミナーを聴きたい、セミナーに参加したい、町の歴史探歩、テレビ鑑賞、工場見学等、様々な場面で音声を鮮明に聴き取りたい要望が高まっている。
【００２６】
また、従来、増幅器と電池が収納された大きなケースにコード付きのマイクロフォンを挿入して用いる発信機、及び増幅器と電池が収納された大きなケースにコード付きのイヤフォンを挿入して用いる受信機を備えた音声拡聴器が知られている。また、使用者が受信機を装着するのに、ストラップなどでケースを首から下げてコード付きのイヤフォンを耳に装着していた。しかしながら、このような構成では、コードやストラップが体の周りに絡む場合があるため、使用者が煩わしさを覚える場合があった。また、例えば、講義等を聴く場合には、大きなケースの目立つ発信機を教壇の前に置かなくてはならず、使用がためらわれる場合があった。
【００２７】
これに対して、本実施形態に係る音声拡聴器１によれば、発信機２と受信機３は一対一に対応していると共に、互いに無線通信が可能である。従って、発信機２を音声の発生場所の近くにセットしておけば、受信機３を装着している使用者が離れた位置に居ても、音声を鮮明に聴き取ることができる。また、受信機３と発信機２の中間位置で発生した音声は混ざらないため、音声を鮮明に聴き取ることができる。このように、使用者は近距離で発生した音声を鮮明に聴き取るのみならず、離れた場所で発生した音声も鮮明に聴き取ることができる。
【００２８】
図５を参照して、音声拡聴器１の使用態様の一例について説明する。図５（ａ）に示すように、発信機２を音声の発生場所の近くに置いておく（セミナーの講師の教壇近くに置く、旅行ガイドに装着してもらうなど、）ことで、音声の発生場所と受信機３を装着した使用者Ｗの距離が離れている場合であっても、使用者は音声を鮮明に聴き取ることができる。また、図５（ｂ）に示すように、音声の発生場所の近くに置くことが困難な場面であっても、使用者Ｗ自身が発信機２を持っておくことで、使用者Ｗの耳で直接聴く場合に比して、より鮮明に音声を聴くことができる。また、図５（ｃ）に示すように、音声の発生場所と使用者Ｗとの間に遮蔽物Ｂが存在する場合であっても、使用者Ｗは鮮明に音声を聴き取ることができる。テレビの近くに発信機２を置いておき、使用者Ｗが別の部屋に行っていた場合（例えば台所で作業をする場合など）であっても、使用者は別の部屋でテレビの音声を聴くことができる。なお、音声拡聴器１は、高齢者や聴力の弱いユーザに限らず、図５に示すように一般のあらゆるユーザにとって有効である。
【００２９】
また、本実施形態に係る音声拡聴器１では、発信機２のマイクロフォン３１、発信機用増幅部３２及び発信部３３は、一の小さな発信機用収容体１１内に収容されている。すなわち、発信機用収容体１１からマイクロフォン用のコードが引き出されているわけではなく、マイクロフォン３１を含めた各部品が一の発信機用収容体１１に収容されてコンパクトな構成となっている。また、使い捨ての電池ではなく、充電式の電池を内蔵することで全体的なサイズが更にコンパクトになっている。また、発信機２がコンパクトであるため、音声の発生場所の近く（例えば教壇の近くなど）に置いても目立たない。また、発信機２はピンで装着可能であるため、使用者が自分で発信機２を持つ場合も、首から下げるためのストラップを用いる必要がない。従って、受信機３のマイク用のコードやストラップが体に絡むことが防止され、使い易さが向上する。
【００３０】
受信機３の受信部４１及び受信機用増幅部４２は、一のコンパクトな受信機用収容体２１内に収容され、イヤフォン２６は、コードを介することなく受信機用収容体２１から外部へ直接突出している。これにより、受信機３がコンパクトな構成となっており、耳に装着するだけでよい構成となっている。このように、受信機３の使用中に、イヤフォン用のコードやストラップなどが体の周りに絡むことが防止され、使い易さが向上する。以上により、使い易さを向上させると共に、あらゆる音声を鮮明に聴き取ることができる。
【００３１】
また、本実施形態に係る音声拡聴器１において、受信機用収容体２１は、長手方向に延在する長尺な形状を有し、イヤフォン２６は、受信機用収容体２１の長手方向における一端側（端面２１ａ側）に設けられると共に、厚さ方向の外側に突出している。また、イヤフォン２６は、受信機用収容体２１から厚さ方向に突出する軸部２７と、軸部２７の先端に設けられ、使用者の耳内に装着される装着部２８と、を備えている。軸部２７には、使用者の耳に掛けられる耳掛け部２５が回転可能に軸支されている。装着部２８は、軸部２７の軸線ＣＬに対して傾斜すると共に、軸線ＣＬ周りに回転可能である。このような構成により、イヤフォン２６の装着部２８の耳に対する挿入方向を自由に変更することができる。また、耳掛け部２５を耳に掛ける方向も自由に変更することができる。受信機用収容体２１は、長手方向に延在する長尺な形状を有しているが、イヤフォン２６の挿入方向及び耳掛け部２５を掛ける方向を変更することができるため、受信機３の耳への装着時に、受信機用収容体２１が延びる向きを、使用者の好みに応じて自由に調整することができる。例えば、使用者は、受信機用収容体２１を上方に向けてもよく、前方に向けてもよく（図５に示す使用態様の例では、前方に向けている）、下方に向けてもよい。
【００３２】
本考案は、上述の実施形態に限定されるものではなく、適宜変更可能である。例えば、収納体の形状やイヤフォン、耳掛け部等の構造は、上述の実施形態に限定されず、適宜変更してよい。
【符号の説明】
【００３３】
１…音声拡聴器、２…発信機、３…受信機、１１…発信機用収容体、２１…受信機用収容体、２５…耳掛け部、２６…イヤフォン、２７…軸部、２８…装着部、３１…マイクロフォン、３２…発信機用増幅部、３３…発信部、４１…受信部、４２…受信機用増幅部。
【図１】
0003182140.tif 000003
【図２】
0003182140.tif 000004
【図３】
0003182140.tif 000005
【図４】
0003182140.tif 000006
【図５】
0003182140.tif 000007